(57)【特許請求の範囲】
【請求項１】
鉄塔又は煙突等の高層構造物の塗装作業における養生装置であって、
地上から当該高層構造物の上部まで張設した引上メインワイヤーと、
前記高層構造物の周囲に所定間隔を隔てて地上から当該高層構造物の上部まで複数本張設したガイドワイヤーと、
前記複数のガイドワイヤーに沿って昇降する複数のネットと、
前記ネットを昇降するための複数の引上支線を有し、
前記複数の引上支線の下端側はネットの上部に連結し、上端部を引上メインワイヤーに連結してあり、
前記高層構造物は、地上側から高層上部に向けて幅寸法が小さくなっていて、前記ガイドワイヤーは前記高層構造物の側面に相互に並行に上下方向に張設した側面ガイドワイヤーと、当該高層構造物のコーナー部の傾斜に沿って斜め並行に張設したコーナー部ガイドワイヤーとが一部交差するように張設してあることを特徴とする塗装作業用養生装置。
【請求項２】
前記側面ガイドワイヤーに沿って昇降するネットの引上支線と、前記コーナー部ガイドワイヤーに沿って昇降するネットの引上支線とがともに引上メインワイヤーに連結してあることを特徴とする請求項１記載の塗装作業用養生装置。
【請求項３】
請求項１又は２記載の塗装作業用養生装置を用いて、前記引上メインワイヤーとガイドワイヤーとを前記高層構造物の上部から地上にまで張設したまま、引上支線の付け替えにより前記ネットを複数回に分けて張り直すことを特徴とする高層構造物の塗装方法。
【発明の詳細な説明】
【技術分野】
【０００１】
本発明は鉄塔、煙突等の屋外高層構造物に塗装する際に、塗料が周囲に飛散するのを防止するために高層構造物の周囲に防護用の養生ネットを張るための養生装置に関する。
【背景技術】
【０００２】
発電所等における煙突、鉄塔等、あるいは送電鉄塔等の高層構造物は防錆を目的に定期的あるいは不定期に塗装が施されている。
この場合に高所での塗装作業となるために塗料が風等により周囲に飛散しないように防護用ネットで養生する必要がある。
【０００３】
特許文献１に、鉄塔の外側を囲繞し得る大きさの筒状の所定高さの単一の防護ネットをガイドロープに沿って昇降させる技術を開示する。
しかし、同公報に開示する防護ネットの張設方法では、鉄塔の最大外形部を囲むことができる大きさ（一辺長さ６ｍ，高さ６ｍ）の単一の防護ネットを用いているために、第１に、ネットとして非常に大きいものが必要である。
第２に、鉄塔の外部に対向する少なくとも２箇所以上に昇降装置を設けなければネットを上昇させ、張ることができないものであり、大きな昇降装置が必要となる。
第３に、単一の防護ネットを上下垂直方向に張るものであるために高層構造物の幅が上方に沿って狭くなっているような鉄塔にあっては、ネットの上部は鉄塔との間の距離が大きくならざるを得ないので、ネットが風により大きく揺れる恐れが高い。
第４に、幅の狭くなる鉄塔の上部から下に垂れ下がるようにネットを張るために鉄塔の上部から外側水平方向に突出した突出棒を用いてネットを垂下させているので、突出棒の突出長さに限界があることから、高さが４０〜５０ｍを超えるような鉄塔には用いることができない。
【先行技術文献】
【特許文献】
【０００４】
【特許文献１】特開２００１−３４７２０３号公報
【発明の概要】
【発明が解決しようとする課題】
【０００５】
本発明は、簡単な構造でありながら塗装作業用養生ネットの張設が容易で、風の影響を受け難い養生装置の提供を目的とする。
【課題を解決するための手段】
【０００６】
本発明に係る塗装作業用養生装置は、鉄塔又は煙突等の高層構造物の塗装作業における養生装置であって、地上から当該高層構造物の上部まで張設した引上メインワイヤーと、前記高層構造物の周囲に所定間隔を隔てて地上から当該高層構造物の上部まで複数本張設したガイドワイヤーと、前記複数のガイドワイヤーに沿って昇降する複数のネットと、前記ネットを昇降するための複数の引上支線を有し、前記複数の引上支線の下端側はネットの上部に連結し、上端部を引上メインワイヤーに連結してあり、前記高層構造物は、地上側から高層上部に向けて幅寸法が小さくなっていて、前記ガイドワイヤーは前記高層構造物の側面に相互に並行に上下方向に張設した側面ガイドワイヤーと、当該高層構造物のコーナー部の傾斜に沿って斜め並行に張設したコーナー部ガイドワイヤーとが一部交差するように張設してあることを特徴とする。
このようにネットの上部に複数の引上支線を連結し、この複数の引上支線の上端部を共通の引上メインワイヤーに連結したことにより、１本の引上メインワイヤーにて複数のネットを同時に昇降させることができる。
【０００７】
また、前記高層構造物が、地上側から高層上部に向けて幅寸法が小さくなっている場合は、前記ガイドワイヤーは前記高層構造物の側面に相互に並行に上下方向に張設した側面ガイドワイヤーと当該高層構造物のコーナー部の傾斜に沿って斜め並行に張設したコーナー部ガイドワイヤーとが上部で一部交差するように張設するのが好ましい。
このようにすると、外形が略四角錐形状の鉄塔であっても鉄塔の側面に沿って張設したガイドワイヤーに沿ってネットが昇降するので、風によりネットが揺れるのを小さく抑え、しかもコーナー部においてもネット間に隙間なく複数のネットを張設できるので塗料の飛散防止効果が高い。
従って、この場合に前記側面ガイドワイヤーに沿って上昇するネットの引上支線と、前記コーナー部ガイドワイヤーに沿って上昇するネットの引上支線とがともに共通の引上メインワイヤーに連結するのが好ましい。
【０００８】
このような養生装置を用いることで、引上メインワイヤーとガイドワイヤーを高層構造物の上部から地上まで張設したまま、所定の高さ毎に引上支線を付け替え複数回に分けてネットを張り直すことで効率的に塗装作用ができる。
【発明の効果】
【０００９】
本発明に係る養生装置にあっては、複数のネットの上端部に連結した複数の引上支線の上端部を共通する引上メインワイヤーにて複数のネットを同時に昇降させることができるのでネットの昇降作業が容易であり、高層構造物の斜めコーナー部と側面とにネットを交差させながら張設できるので、高層構造物が略角錐外形形状であっても隙間なくネットを張設することができ、風の影響も受けにくい。
【図面の簡単な説明】
【００１０】
【図１】煙突の周囲に鉄塔を有する場合の鉄塔に養生ネットを張設する例を示す。  鉄塔の側部（側面）に沿ってガイドワイヤーを上下方向に張り、ウインチにて引上メインワイヤーを張設した状態を示し、（ａ）は鉄塔の最上部にネットを張る前で、（ｂ）はこの部分にネットを上昇させて張設した状態を示す。
【図２】（ａ）はネットの上昇途中を示し、（ｂ）はネットの張設後の状態を示す。
【図３】鉄塔にガイドワイヤーを上下に張設した状態を示す。
【図４】鉄塔の最下段部にネットを張設する例で、（ａ）はガイドワイヤー等を張設する前、（ｂ）は引上メインワイヤー、ガイドワイヤーを張設した状態、（ｃ）は、鉄塔の最下端部にネットを張設した状態を示す。
【図５】共通の引上メインワイヤーで複数のネットを上昇させる例を示し、（ａ）は上昇前、（ｂ）は上昇後を示す。
【図６】ガイドワイヤーの配置例を示す。
【図７】ネットをガイドワイヤーと引上支線とに連結する構造例を示す。
【発明を実施するための形態】
【００１１】
以下、本発明に係る実施例として鉄塔付煙突に塗装作業用養生ネットを張設する例を説明するが、本発明は本実施例に限定されるものではない。
【００１２】
養生装置は、煙突２の周囲に立設されている鉄塔１の上部１ａから地上１ｂまで引上メインワイヤー１２を張設し、地上にてウインチ１１を用いて回動制御されている。
また、図３に詳細図を示すように、複数本のガイドワイヤー１４を鉄塔の上部１ａから地上１ｂまで鉄塔の側面に沿って張設されている。
鉄塔は地上側から上部に向けて略四角錐状の外形になっていることから、コーナー部に沿ってネットをガイドするためのコーナー部ガイドワイヤー１４ｂを２本以上、斜めに並行に張設し、側面中央部側は側面に沿って上下方向に複数の側面ガイドワイヤー１４ａを張設してある。
【００１３】
ネット１５はガイドワイヤー１４ａ，１４ｂに図７に示すように金具１９ｂを用いて上下移動自在に連結し、ネット１５の上端部は金具１９ａを用いて引上支線１３の下端部に連結してある。
複数の引上支線１３の上端側は図２に示すように滑車１７ａ，１７ｂ，１７ｃ等を介して１本の引上メインワイヤー１２の途中部１２ａにて連結してある。
これにより、１本の引上メインワイヤー１２をウインチ１１にて回動することで複数のネット１５を同時に昇降できる。
ガイドワイヤー１４（１４ａ，１４ｂ）は図２に示すように、鉄塔３ａからサポート部材１６ａ，１６ｂを外側に突出させ、その先端部にて保持させているので鉄塔からネット１５までの距離を一定に保つことができる。
なお、棒材１８ａ，１８ｂにて１６のサポート部材１６ａの補強をしてある。
また、符号２０は足場を示す。
【００１４】
鉄塔の上部は図１に示すように外形が概ね垂直なので、ネット１５を上下に昇降させるだけでよいが、図４に示すように例えば鉄塔の最下部においてはネット１５を張る上端側と下端側では鉄塔の外形幅寸法が異なることから、コーナー部と一般側面部とではガイドワイヤーの張設方向を一部交差するように張設する必要がある。
このガイドワイヤー１４の配設平面図を図６に示す。
一般側面部には側面ガイドワイヤー１４ａを適度の幅を有するネット毎に昇降できるように複数本張設し、コーナー部はネット間に隙間が生じないように幅方向、カギ状にネットを張設できるように鉄塔の傾斜にあわせて複数のガイドワーヤー１４ｂを斜め平行に張設する。
これらの一般側面部のネット１５及びコーナー部のネット１５が１本の引上メインワイヤー１２にて昇降できるように、各ネットをそれぞれ引上支線ワーヤー１３の下端部に連結し上端部を引上メインワイヤー１２の途中部１２ａに連結する。
従って、一般側面部のネット１５とコーナー部のネットは上部で相互に一部が重なるように上昇する。
引上メインワイヤー１２及びガイドワイヤー１４はワイヤーであることから、鉄塔の上部から地上まで張設できるが、ネット１５の長さには制限があることから、高さ方向、約２０〜４０ｍ間隔毎に張り変えながら塗装作業を行う。
図５（ａ）は、引上支線ワイヤー１３を滑車を介して引上メインワイヤー１２の途中１２ａに連結した状態を示し、（ｂ）はウインチ１１を作動し、ネット１５を上昇させる状態を示す。
【符号の説明】
【００１５】
１      鉄塔
２      煙突
１１    ウインチ
１２    引上メインワイヤー
１３    引上支線
１４    ガイドワイヤー
１５    ネット
【図１】
0005858531.tif 000002
【図２】
0005858531.tif 000003
【図３】
0005858531.tif 000004
【図４】
0005858531.tif 000005
【図５】
0005858531.tif 000006
【図６】
0005858531.tif 000007
【図７】
0005858531.tif 000008